(57)【要約】【課題】故障によりアクセルペダルの操作状態が不明であっても、退避走行時の最高速度を上げることができ、安全な場所に車両を退避するのに要する時間を短縮することができる車両の制御装置を提供すること。【解決手段】エンジンとトランスミッションとアクセルペダルセンサと車速センサとを備えた車両の制御装置であって、アクセルペダル又はアクセルペダルセンサの故障が検出された場合にエンジン回転数をアイドリング回転数に維持するエンジン制御部と、アクセルペダル及びアクセルペダルセンサのいずれの故障も検出されていない場合にアクセル開度及び車速に基づいてアップシフト制御を実行する変速制御部と、を備え、変速制御部は、アクセルペダル又はアクセルペダルセンサの故障が検出された場合には、車速に基づいてアップシフト制御を実行する。【選択図】図３
2020204340.tif 000002
【特許請求の範囲】
【請求項１】
エンジンと、変速比の異なる複数のギヤ段を切換可能に構成され、前記エンジンから出力された回転を前記ギヤ段に応じた変速比で変速して出力する変速機と、アクセルペダルの踏み込み量を検出するアクセルペダルセンサと、車速を検出する車速センサと、を備えた車両の制御装置であって、
前記アクセルペダルの踏み込み量に基づいてアクセル開度を設定するアクセル開度設定部と、
前記アクセルペダル又は前記アクセルペダルセンサの故障を検出するアクセル故障検出部と、
前記アクセル故障検出部により前記アクセルペダル又は前記アクセルペダルセンサの故障が検出された場合に、前記エンジンの回転数をアイドリング回転数に維持するエンジン制御部と、
前記アクセル故障検出部により前記アクセルペダル及び前記アクセルペダルセンサのいずれの故障も検出されていない場合に、前記アクセル開度及び前記車速に基づいてアップシフト制御を実行する変速制御部と、を備え、
前記変速制御部は、前記アクセル故障検出部により前記アクセルペダル又は前記アクセルペダルセンサの故障が検出された場合には、前記車速に基づいて前記アップシフト制御を実行することを特徴とする車両の制御装置。
【請求項２】
前記車両の変速モードとして、運転者の手動によるアップシフト操作に応じて前記アップシフト制御を行うマニュアルモードと、前記車両の走行状態に応じて自動的に前記アップシフト制御を行うオートマチックモードと、を有し、
前記アクセル故障検出部により前記アクセルペダル又は前記アクセルペダルセンサの故障が検出された場合に実行される前記アップシフト制御において、アップシフト可能なギヤ段の上限が前記マニュアルモードと前記オートマチックモードとで異なることを特徴とする請求項１に記載の車両の制御装置。
【請求項３】
前記マニュアルモードにおけるアップシフト可能なギヤ段の上限は、前記オートマチックモードにおけるアップシフト可能なギヤ段の上限よりも大きいことを特徴とする請求項２に記載の車両の制御装置。
【発明の詳細な説明】
【技術分野】
【０００１】
本発明は、車両の制御装置に関する。
【背景技術】
【０００２】
特許文献１には、アクセルセンサの故障をコントロールユニットが検出したときにアイドル状態を示すアクセルスイッチの状態に応じてアクセルセンサのバックアップ信号を出力するディーゼルエンジンのアクセル制御装置が開示されている。
【０００３】
この特許文献１に記載のディーゼルエンジンのアクセル制御装置では、アクセルスイッチがＯＮからＯＦＦ、即ちアイドル状態から非アイドル状態に変化した時にはアクセル開度を増加させ、逆にＯＦＦからＯＮ、即ち非アイドル状態からアイドル状態に変化したときにはアクセル開度を減少させるようにし、アクセルセンサが故障した場合でもドライバがアクセルペダルを踏むことにより動作するアクセルスイッチの状態に応じて適当な加速または減速が可能となっている。
【先行技術文献】
【特許文献】
【０００４】
【特許文献１】特許第３５２５４７８号公報
【発明の概要】
【発明が解決しようとする課題】
【０００５】
しかしながら、上述の従来のディーゼルエンジンのアクセル制御装置にあっては、アクセルペダルセンサとアクセルスイッチとがともに故障した場合には、アクセルペダルの操作状態が不明となるため、低速度での退避走行しか行うことができない。このため、安全な場所に車両を退避するのに時間がかかってしまう。
【０００６】
本発明は、上述のような事情に鑑みてなされたもので、故障によりアクセルペダルの操作状態が不明であっても、退避走行時の最高速度を上げることができ、安全な場所に車両を退避するのに要する時間を短縮することができる車両の制御装置を提供することを目的とする。
【課題を解決するための手段】
【０００７】
本発明は、上記目的を達成するため、エンジンと、変速比の異なる複数のギヤ段を切換可能に構成され、前記エンジンから出力された回転を前記ギヤ段に応じた変速比で変速して出力する変速機と、アクセルペダルの踏み込み量を検出するアクセルペダルセンサと、車速を検出する車速センサと、を備えた車両の制御装置であって、前記アクセルペダルの踏み込み量に基づいてアクセル開度を設定するアクセル開度設定部と、前記アクセルペダル又は前記アクセルペダルセンサの故障を検出するアクセル故障検出部と、前記アクセル故障検出部により前記アクセルペダル又は前記アクセルペダルセンサの故障が検出された場合に、前記エンジンの回転数をアイドリング回転数に維持するエンジン制御部と、前記アクセル故障検出部により前記アクセルペダル及び前記アクセルペダルセンサのいずれの故障も検出されていない場合に、前記アクセル開度及び前記車速に基づいてアップシフト制御を実行する変速制御部と、を備え、前記変速制御部は、前記アクセル故障検出部により前記アクセルペダル又は前記アクセルペダルセンサの故障が検出された場合には、前記車速に基づいて前記アップシフト制御を実行する構成を有する。
【発明の効果】
【０００８】
本発明によれば、故障によりアクセルペダルの操作状態が不明であっても、退避走行時の最高速度を上げることができ、安全な場所に車両を退避するのに要する時間を短縮することができる車両の制御装置を提供することができる。
【図面の簡単な説明】
【０００９】
【図１】図１は、本発明の一実施例に係る制御装置を搭載した車両の概略構成図である。
【図２】図２は、本発明の一実施例に係る車両に搭載されたトランスミッションコントローラによって参照される退避時変速マップの一例である。
【図３】図３は、本発明の一実施例に係る車両に搭載されたトランスミッションコントローラによって実行されるシフト制御の処理の流れを示すフローチャートである。
【図４】図４は、本発明の一実施例に係る車両の退避走行時のタイミングチャートの一例を示す図である。
【発明を実施するための形態】
【００１０】
本発明の一実施の形態に係る車両の制御装置は、エンジンと、変速比の異なる複数のギヤ段を切換可能に構成され、エンジンから出力された回転をギヤ段に応じた変速比で変速して出力する変速機と、アクセルペダルの踏み込み量を検出するアクセルペダルセンサと、車速を検出する車速センサと、を備えた車両の制御装置であって、アクセルペダルの踏み込み量に基づいてアクセル開度を設定するアクセル開度設定部と、アクセルペダル又はアクセルペダルセンサの故障を検出するアクセル故障検出部と、アクセル故障検出部によりアクセルペダル又はアクセルペダルセンサの故障が検出された場合に、エンジンの回転数をアイドリング回転数に維持するエンジン制御部と、アクセル故障検出部によりアクセルペダル及びアクセルペダルセンサのいずれの故障も検出されていない場合に、アクセル開度及び車速に基づいてアップシフト制御を実行する変速制御部と、を備え、変速制御部は、アクセル故障検出部によりアクセルペダル又はアクセルペダルセンサの故障が検出された場合には、車速に基づいてアップシフト制御を実行することを特徴とする。これにより、本発明の一実施の形態に係る車両の制御装置は、故障によりアクセルペダルの操作状態が不明であっても、退避走行時の最高速度を上げることができ、安全な場所に車両を退避するのに要する時間を短縮することができる。
【実施例】
【００１１】
以下、本発明の一実施例に係る制御装置を搭載した車両について図面を参照して説明する。
【００１２】
図１に示すように、本実施例に係る車両１は、エンジン２と、変速機としてのトランスミッション３と、クラッチ４と、前輪５Ｌ，５Ｒと、後輪６Ｌ，６Ｒと、エンジンコントローラ２０と、トランスミッションコントローラ３０と、を含んで構成されている。
【００１３】
エンジン２には、複数の気筒が形成されている。本実施例において、エンジン２は、各気筒に対して、吸気行程、圧縮行程、膨張行程および排気行程からなる一連の４行程を行うように構成されている。
【００１４】
トランスミッション３は、変速比の異なる複数のギヤ段を切換可能な常時噛合式又は選択摺動式の変速機によって構成されている。トランスミッション３は、ドライブシャフトを介して前輪５Ｌ，５Ｒに接続されている。トランスミッション３は、エンジン２から出力された回転を複数のギヤ段のいずれかに応じた変速比で変速して出力するようになっている。
【００１５】
本実施例において、トランスミッション３は、ギヤ段の切替操作とクラッチ４のクラッチ操作とを自動で行う、ＡＭＴ（Automated Manual Transmission）によって構成されている。トランスミッション３は、例えば多段の自動変速機やＣＶＴ（Continuously Variable Transmission）等の無段変速機によって構成してもよい。
【００１６】
トランスミッション３で成立可能なギヤ段としては、例えば１速段から４速段までの走行用のギヤ段と、後進段とがある。走行用のギヤ段の段数は、車両１の諸元により異なり、上述の１速段から４速段に限られるものではない。
【００１７】
ここで、車両１には、変速モードとして、運転者の手動によるアップシフト操作又はダウンシフト操作に応じてアップシフト制御又はダウンシフト制御を行うマニュアルモードと、車両１の走行状態に応じて自動的にアップシフト制御又はダウンシフト制御を行うオートマチックモードと、が設定されている。
【００１８】
マニュアルモードとオートマチックモードとは、運転席の近傍に配置された図示しないセレクタレバーによって切り替えることができる。例えば、セレクタレバーの操作位置をＭレンジに操作することにより変速モードをマニュアルモードに切り替えることができる。
【００１９】
マニュアルモードにおいては、トランスミッション３におけるギヤ段は、運転者により操作される変速操作部３２の操作位置に応じて切り替えられるようになっている。変速操作部３２としては、ステアリング近傍に配置されたパドルシフトが用いられる。なお、変速操作部３２としては、パドルシフトに限らず、セレクタレバー、又は、パドルシフト及びセレクタレバーの両方を用いてもよい。
【００２０】
オートマチックモードにおいては、トランスミッション３におけるギヤ段は、車両１の速度である車速と、アクセルペダル８の踏み込み量に基づいて設定されるアクセル開度と、に応じて切り替えられるようになっている。
【００２１】
クラッチ４は、エンジン２とトランスミッション３との間の動力伝達経路上に設けられている。クラッチ４は、エンジン２とトランスミッション３との間で動力を伝達する係合状態と、当該動力の伝達を遮断する解放状態とを図示しないアクチュエータによって切り替え可能に構成されている。
【００２２】
エンジンコントローラ２０は、ＣＰＵ（Central Processing Unit）と、ＲＡＭ（Random Access Memory）と、ＲＯＭ（Read Only Memory）と、バックアップ用のデータなどを保存するフラッシュメモリと、入力ポートと、出力ポートとを備えたコンピュータユニットによって構成されている。
【００２３】
コンピュータユニットのＲＯＭには、各種定数や各種マップ等とともに、当該コンピュータユニットをエンジンコントローラ２０として機能させるためのプログラムが格納されている。すなわち、ＣＰＵがＲＡＭを作業領域としてＲＯＭに格納されたプログラムを実行することにより、コンピュータユニットは、本実施例におけるエンジンコントローラ２０として機能する。
【００２４】
エンジンコントローラ２０には、運転者により操作されるアクセルペダル８の踏み込み量を検出するアクセルペダルセンサ８１等の各種センサ類が接続されている。アクセルペダルセンサ８１は、アクセルペダル８の踏み込み量をアクセル開度として検出し、当該アクセル開度に応じた信号をエンジンコントローラ２０に送信するようになっている。
【００２５】
アクセルペダルセンサ８１は、例えば、電磁誘導作用を応用した非接触式センサからなり、互いに出力特性の異なるメイン回路とサブ回路との２系統でアクセル開度を検出するようになっている。
【００２６】
また、エンジンコントローラ２０は、図示しないＣＡＮ通信線を介してトランスミッションコントローラ３０等の各種コントローラと接続されており、これらコントローラとの間で制御信号等の信号の送受信を相互に行うようになっている。
【００２７】
エンジンコントローラ２０は、アクセルペダル８の踏み込み量に基づいてアクセル開度を設定するアクセル開度設定部２１としての機能を有する。
【００２８】
また、エンジンコントローラ２０は、アクセルペダル８又はアクセルペダルセンサ８１の故障を検出するアクセル故障検出部２２としての機能を有する。エンジンコントローラ２０は、各種センサ類や各種コントローラから入力される情報を総合的に判断して、アクセルペダル８の故障を検出する。例えば平坦路において、アクセル開度が増加しているにも関わらずエンジン回転数が上昇しない場合や、アクセル開度が減少しているにも関わらずエンジン回転数が下降しない場合には、アクセルペダル８が故障していると判断することができる。
【００２９】
また、エンジンコントローラ２０は、アクセルペダルセンサ８１のメイン回路とサブ回路との電圧差によりアクセルペダルセンサ８１の故障を検出する。さらに、エンジンコントローラ２０は、アクセルペダルセンサ８１のメイン回路及びサブ回路それぞれの出力が所定範囲外となった場合には、アクセルペダル８又はアクセルペダルセンサ８１のいずれかが故障したと判断することができる。この場合のアクセルペダルセンサ８１の故障にあっては、メイン回路及びサブ回路の２系統が同時に故障したことを意味する。
【００３０】
また、エンジンコントローラ２０は、アクセルペダル８又はアクセルペダルセンサ８１の故障が検出された場合に、フェールセーフとして、運転者のアクセル操作に関わらずエンジン２の回転数（以下、「エンジン回転数」という）をアイドリング回転数に維持するエンジン制御部２３としての機能を有する。フェールセーフとしてエンジン回転数がアイドリング回転数に維持された状態では、運転者によりブレーキ操作が解除されると、エンジン２のトルクがクラッチ４を介してトランスミッション３に伝達されて退避走行が可能となる。
【００３１】
トランスミッションコントローラ３０は、ＣＰＵ（Central Processing Unit）と、ＲＡＭ（Random Access Memory）と、ＲＯＭ（Read Only Memory）と、バックアップ用のデータなどを保存するフラッシュメモリと、入力ポートと、出力ポートとを備えたコンピュータユニットによって構成されている。
【００３２】
コンピュータユニットのＲＯＭには、各種定数や各種マップ等とともに、当該コンピュータユニットをトランスミッションコントローラ３０として機能させるためのプログラムが格納されている。すなわち、ＣＰＵがＲＡＭを作業領域としてＲＯＭに格納されたプログラムを実行することにより、コンピュータユニットは、本実施例におけるトランスミッションコントローラ３０として機能する。
【００３３】
トランスミッションコントローラ３０には、上述した変速操作部３２のほか、車速センサ３３等の各種センサ類が接続されている。車速センサ３３は、車両１の速度である車速を検出し、当該車速に応じた信号をトランスミッションコントローラ３０に送信するようになっている。
【００３４】
トランスミッションコントローラ３０は、アクセル開度及び車速の少なくともいずれか一方に基づき、アップシフト制御又はダウンシフト制御を実行する変速制御部３１としての機能を有する。
【００３５】
具体的には、トランスミッションコントローラ３０は、エンジンコントローラ２０によってアクセルペダル８及びアクセルペダルセンサ８１のいずれの故障も検出されていない場合、すなわちアクセルペダル８及びアクセルペダルセンサ８１が正常である場合に、アクセル開度及び車速に基づいて図示しない変速マップを参照することにより、アップシフト制御又はダウンシフト制御を実行するようになっている。
【００３６】
上述の変速マップは、アクセル開度及び車速に対応してアップシフト線及びダウンシフト線が規定されたマップであり、予め実験的に求めてトランスミッションコントローラ３０のＲＯＭに記憶されている。
【００３７】
トランスミッションコントローラ３０は、エンジンコントローラ２０によってアクセルペダル８又はアクセルペダルセンサ８１の故障が検出された場合には、車速に基づいて図２に示す退避時変速マップを参照することにより、アップシフト制御を実行するようになっている。
【００３８】
図２に示すように、退避時変速マップは、車速に対応してギヤ段が規定されたマップであり、予め実験的に求めてトランスミッションコントローラ３０のＲＯＭに記憶されている。
【００３９】
退避時変速マップにおいては、車速Ｖが所定車速ａ［ｋｍ／ｈ］以下の領域では、ギヤ段が１速段（図２中、「１ｓｔ」と記す）に設定され、車速Ｖが所定車速ａ［ｋｍ／ｈ］を超える領域では２速段（図２中、「２ｎｄ」と記す）に設定されるようになっている。したがって、本実施例においては、退避走行時のギヤ段の上限は２速段となる。上限のギヤ段は、２速段に限らず、３速段以降の上位のギヤ段のいずれかに設定してもよい。
【００４０】
前述の所定車速ａ［ｋｍ／ｈ］は、例えば、エンジン回転数がアイドリング回転数に維持された状態で１速段から２速段に変速したときにエンジンストールが生じるおそれのある車速の上限以上に設定されるのが好ましい。
【００４１】
トランスミッションコントローラ３０は、変速モードがマニュアルモードであるときにエンジンコントローラ２０によってアクセルペダル８又はアクセルペダルセンサ８１の故障が検出された場合には、車速Ｖが所定車速ｂ［ｋｍ／ｈ］を超えると、上述の退避時変速マップに関わらず、ギヤ段を３速段に変速するようになっている。退避走行時のマニュアルモードでの上限の変速段は、３速段に限らず、４速段以上のいずれかとしてもよい。
【００４２】
前述の所定車速ｂ［ｋｍ／ｈ］は、所定車速ａ［ｋｍ／ｈ］よりも高い車速であって、例えば、エンジン回転数がアイドリング回転数に維持された状態で２速段から３速段に変速したときにエンジンストールが生じるおそれのある車速の上限以上に設定されるのが好ましい。
【００４３】
本実施例においては、変速モードがオートマチックモードである場合には、上限のギヤ段を２速段として上述の退避時変速マップに基づきアップシフト制御が実行される。
【００４４】
したがって、本実施例においては、アクセルペダル８又はアクセルペダルセンサ８１の故障が検出された場合に実行されるアップシフト制御において、アップシフト可能なギヤ段の上限がオートマチックモードとマニュアルモードとで異なる。また、上述したように、マニュアルモードにおけるアップシフト可能なギヤ段の上限は、オートマチックモードにおけるアップシフト可能なギヤ段の上限よりも大きい。すなわち、マニュアルモードにおけるアップシフト可能な上限のギヤ段の方が、オートマチックモードにおけるアップシフト可能な上限のギヤ段よりも変速比が小さい。
【００４５】
次に、図３を参照して、本実施例に係るトランスミッションコントローラ３０によって実行されるシフト制御の処理について説明する。図３に示すシフト制御の処理は、車両１のイグニッションがオンされてからオフされるまでの間、所定の時間間隔で繰り返し実行される。
【００４６】
図３に示すように、トランスミッションコントローラ３０は、エンジンコントローラ２０によってアクセルペダル８又はアクセルペダルセンサ８１の故障が検出されたか否かを判定する（ステップＳ１）。
【００４７】
トランスミッションコントローラ３０は、ステップＳ１においてアクセルペダル８及びアクセルペダルセンサ８１のいずれの故障も検出されていないと判定した場合には、通常制御として、アクセルペダル８及びアクセルペダルセンサ８１が正常である場合に実行されるアップシフト制御又はダウンシフト制御を実行して（ステップＳ２）、シフト制御の処理を終了する。
【００４８】
トランスミッションコントローラ３０は、ステップＳ１においてアクセルペダル８又はアクセルペダルセンサ８１の故障が検出されたと判定した場合には、変速モードがオートマチックモードであるか否かを判定する（ステップＳ３）。
【００４９】
トランスミッションコントローラ３０は、ステップＳ３において変速モードがオートマチックモードであると判定した場合には、退避時変速マップ（図２参照）によりギヤ段を決定する（ステップＳ４）。その後、トランスミッションコントローラ３０は、ステップＳ５に処理を移行する。
【００５０】
トランスミッションコントローラ３０は、ステップＳ３において変速モードがオートマチックモードでないと判定した場合には、変速モードがマニュアルモードであると判断して、運転者の手動によるアップシフト操作があるか否かを判定する（ステップＳ６）。
【００５１】
トランスミッションコントローラ３０は、ステップＳ６において運転者の手動によるアップシフト操作がないと判定した場合には、退避時変速マップ（図２参照）によりギヤ段を決定する（ステップＳ７）。その後、トランスミッションコントローラ３０は、ステップＳ５に処理を移行する。
【００５２】
トランスミッションコントローラ３０は、ステップＳ６において運転者の手動によるアップシフト操作があると判定した場合には、車速Ｖが所定車速ｂ［ｋｍ／ｈ］を超えているか否かを判定する（ステップＳ８）。
【００５３】
トランスミッションコントローラ３０は、ステップＳ８において車速Ｖが所定車速ｂ［ｋｍ／ｈ］を超えていないと判定した場合には、上述のステップＳ７の処理を実行して、ステップＳ５に処理を移行する。したがって、マニュアルモードにおいて車速Ｖが所定車速ｂ［ｋｍ／ｈ］を超えていない場合には、アップシフト操作の有無に関わらず、車速Ｖに応じて退避時変速マップ（図２参照）によりギヤ段が決定される。
【００５４】
トランスミッションコントローラ３０は、ステップＳ８において車速Ｖが所定車速ｂ［ｋｍ／ｈ］を超えていると判定した場合には、ギヤ段を３速段（図３中、「３ｒｄ」と記す）に決定して（ステップＳ９）、ステップＳ５に処理を移行する。
【００５５】
ステップＳ５において、トランスミッションコントローラ３０は、ステップＳ４、ステップＳ７又はステップＳ９のいずれかで決定されたギヤ段にシフトするよう、トランスミッション３及びクラッチ４を制御して、シフト制御の処理を終了する。
【００５６】
次に、図４を参照して、本実施例における車両１の退避走行時のタイミングチャートの一例を説明する。図４に示すタイミングチャートにおいては、時刻ｔ０においてアクセルペダル８又はアクセルペダルセンサ８１の故障が検出されたものとして説明する。
【００５７】
図４に示すように、時刻ｔ０においてアクセルペダル８又はアクセルペダルセンサ８１の故障が検出されると、エンジン回転数がアイドリング回転数（図４に示す例では、８００ｒｐｍ）に維持される。また、時刻ｔ０においては、セレクタレバーの操作位置は、オートマチックモード時に選択されるＤレンジであり、トランスミッション３の成立ギヤ段は、１速段である。
【００５８】
このとき、トランスミッションインプットシャフト回転数は、クラッチ４の係合度合いに応じて時刻ｔ０から徐々に上昇し、これに併せて車速Ｖも上昇する。トランスミッションインプットシャフト回転数とは、クラッチ４に連結されたトランスミッション３の入力軸の回転数のことである。
【００５９】
その後、時刻ｔ１において、車速Ｖが所定車速ａ［ｋｍ／ｈ］を超えると、アップシフト制御が実行され、ギヤ段の切替操作とクラッチ操作とが開始される。そして、時刻ｔ２において、１速段から２速段へのギヤ段の変更、すなわち変速が完了する。
【００６０】
ここで、退避走行時に変速が行わない構成である場合には、退避走行時の車速の上限が所定車速ａとなってしまい、低速での退避走行しかできず、安全な場所に車両を退避するのに時間がかかってしまう。
【００６１】
これに対し、本実施例では、上述の通り、１速段から２速段へのギヤ段の変更が行われるので、退避走行時の車速を高くすることができ、安全な場所に車両を速やかに移動させることが可能となる。
【００６２】
トランスミッションインプットシャフト回転数は、時刻ｔ１において変速が開始されると、一旦は低下するが、時刻ｔ２において変速が完了すると、徐々に上昇しアイドリング回転数に一致する。
【００６３】
その後、時刻ｔ３において、セレクタレバーの操作位置がＭレンジに操作されると、変速モードがオートマチックモードからマニュアルモードに切り替えられる。
【００６４】
その後、時刻ｔ４において、車速Ｖが所定車速ｂを超えると、アップシフト制御が実行され、ギヤ段の切替操作とクラッチ操作とが開始される。そして、時刻ｔ５において、２速段から３速段へのギヤ段の変更、すなわち変速が完了する。
【００６５】
本実施例においては、オートマチックモードでの退避走行時の変速段の上限が２速段であるため、所定車速ｂがオートマチックモードでの退避走行時における上限車速（図４中、「Ｄレンジ上限車速」と記す）となる。
【００６６】
トランスミッションインプットシャフト回転数は、時刻ｔ４において変速が開始されると、一旦は低下するが、時刻ｔ５において変速が完了すると、徐々に上昇しアイドリング回転数に一致する。
【００６７】
このように、マニュアルモードでの退避走行時に、ギヤ段が３速段に変更されると、マニュアルモードでの退避走行時における上限車速（図４中、「Ｍレンジ上限車速」と記す）まで車速Ｖが上昇する。
【００６８】
以上のように、本実施例に係る車両の制御装置は、エンジンコントローラ２０によりアクセルペダル８又はアクセルペダルセンサ８１の故障が検出された場合には、車速Ｖに基づいてアップシフト制御を実行するよう構成されている。
【００６９】
これにより、本実施例に係る車両の制御装置は、故障によりアクセルペダル８の操作状態が不明であっても、退避走行時の最高速度を上げることができ、安全な場所に車両１を退避するのに要する時間を短縮することができる。
【００７０】
また、本実施例に係る車両の制御装置は、エンジンコントローラ２０によりアクセルペダル８又はアクセルペダルセンサ８１の故障が検出された場合に実行されるアップシフト制御において、アップシフト可能なギヤ段の上限がマニュアルモードとオートマチックモードとで異なるよう構成されている。
【００７１】
これにより、本実施例に係る車両の制御装置は、例えば、マニュアルモードでアップシフト操作がなされる等、運転者の車速を増加したいという意思を確認できた場合に車速を増加させるため、運転者の意思に沿って車両１を走行させることができる。
【００７２】
また、本実施例に係る車両の制御装置は、マニュアルモードにおけるアップシフト可能なギヤ段の上限は、オートマチックモードにおけるアップシフト可能なギヤ段の上限よりも大きいので、運転者の車速を増加したいという意思を確認できた場合に車速を増加させることができる。
【００７３】
本発明の実施例を開示したが、当業者によっては本発明の範囲を逸脱することなく変更が加えられうることは明白である。すべてのこのような修正および等価物が次の請求項に含まれることが意図されている。
【符号の説明】
【００７４】
１  車両
２  エンジン
３  トランスミッション（変速機）
４  クラッチ
８  アクセルペダル
２０  エンジンコントローラ
２１  アクセル開度設定部
２２  アクセル故障検出部
２３  エンジン制御部
３０  トランスミッションコントローラ
３１  変速制御部
３２  変速操作部
３３  車速センサ
８１  アクセルペダルセンサ
【図１】
2020204340.tif 000003
【図２】
2020204340.tif 000004
【図３】
2020204340.tif 000005
【図４】
2020204340.tif 000006